(57)【特許請求の範囲】
【請求項１】
携帯端末装置と、該携帯端末装置と通信網を介して接続され、放送番組を受信可能な録画装置と、からなる放送番組録画システムであって、
前記携帯端末装置は、
前記録画装置に録画指示を行う録画指示部と、
を備え、
前記録画装置は、
放送番組を受信可能な装置放送受信部と、
前記録画指示があったことに応じて、放送番組を前記装置放送受信部に受信させ、意図的に当該録画指示した携帯端末装置用の画質で装置メモリに録画する装置録画部と、
を備えること特徴とする、放送番組録画システム。
【請求項２】
携帯端末装置と通信網を介して接続され、放送番組を受信可能な録画装置であって、
放送番組を受信可能な装置放送受信部と、
前記携帯端末装置の録画指示があったことに応じて、該録画指示が示す放送番組を前記装置放送受信部に受信させ、意図的に当該録画指示した携帯端末装置用の画質で装置メモリに録画する装置録画部と、
を備えること特徴とする、録画装置。
【請求項３】
携帯端末装置と、該携帯端末装置と通信網を介して接続され、放送番組を受信可能な録画装置と、を用いて放送番組を録画する放送番組録画方法であって、
前記携帯端末装置が前記録画装置に録画指示を行うステップと、
前記録画装置が、前記録画指示があったことに応じて、該録画指示が示す放送番組を受信して、意図的に当該録画指示した携帯端末装置用の画質で装置メモリに録画するステップと、
を含むこと特徴とする、放送番組録画方法。
【発明の詳細な説明】
【技術分野】
【０００１】
本発明は、放送番組を携帯端末装置および録画装置に並行して録画可能な放送番組録画システム、携帯端末装置、録画装置、および放送番組録画方法に関する。
【背景技術】
【０００２】
インターネット等の通信網を利用して携帯電話等の携帯端末装置と自宅の各電子機器を接続し、この各電子機器を外出先から遠隔操作できる技術が浸透しつつある。その利用例の一つとして、録画予約を忘れたまま外出した場合においても、自己の携帯端末装置に電子番組ガイド（ＥＰＧ：Ｅｌｅｃｔｒｏｎｉｃ  Ｐｒｏｇｒａｍ  Ｇｕｉｄｅ）を取り込み、かつ、その電子番組ガイドから所望する放送番組を選択して遠隔にある録画装置の録画予約を実行することが可能な技術が知られている（例えば、特許文献１）。しかし、かかる技術はあくまで録画予約の遠隔操作であって、携帯端末装置自体による放送番組視聴や放送番組録画を考慮した技術ではない。
【０００３】
現在、携帯端末装置には地上アナログ放送対応のＴＶチューナーを内蔵しているものもあり、ユーザは、携帯端末装置に備わる例えば４００×２４０ドットの液晶画面で、通常のテレビジョン宛らの映像を楽しむことができる。また、地上デジタル放送のチャンネルのうちの１セグメントが割り当てられたワンセグのサービスも開始され、低画質で低音質ではあるものの、テレビジョン放送の携帯性をより身近なものに転化させるきっかけとなった。
【先行技術文献】
【特許文献】
【０００４】
【特許文献１】特開２００１−１４５１４０号公報
【発明の概要】
【発明が解決しようとする課題】
【０００５】
また、携帯端末装置に予め実装される、または外部から追加されるメモリの容量も著しい進歩を告げ、放送番組における動画をある程度録画できるようになってきた。さらにはリチウム電池等の単位体積当たりの電池容量も増しており、放送番組の受信およびその録画に耐え得るものになりつつある。
【０００６】
しかし、かかる電池やメモリは、通話や撮像といった携帯端末装置本来の機能とリソースを共有しているので、電池やメモリの残容量を推測することは不可能であり、例え携帯端末装置が放送番組を録画可能であったとしてもその放送番組を最後まで録画できるかどうかを知り得る術がなかった。従って、ユーザは、かかる電池やメモリの残容量を常に気にしながら録画しなくてはならなかった。
【０００７】
また、移動等によって携帯端末装置の周囲の通信環境が変化すると、放送番組の電波状況も変化して不安定になり、受信する電波によっては画像として認識できない場合もあった。さらに、着呼等予測不能な割り込み処理によって録画を中断せざるを得ない場合もあった。
【０００８】
そこで、本願発明者は、決して録画に適した環境とは言えないこのような携帯端末装置での録画機能をもっと安定して遂行する方法がないか検討し、十分な電池容量およびメモリ容量かつ安定した動作が見込める録画装置と当該携帯端末装置とを連動させることで、録画を安定かつ確実に遂行可能なことを見出して本発明を完成するに至った。
【０００９】
本発明は、従来の携帯端末装置が有する上記問題点に鑑みてなされたものであり、本発明の目的は、携帯端末装置を、安定動作が見込める録画装置と連動させることで、携帯端末装置での録画が困難な状況に陥った場合においても安定かつ確実に放送番組を録画することが可能となり、ユーザに安心感を与え、携帯端末装置における録画機能の使い勝手を向上させることが可能な、新規かつ改良された放送番組録画システム、携帯端末装置、録画装置、および放送番組録画方法を提供することである。
【課題を解決するための手段】
【００１０】
上記課題を解決するために、本発明のある観点によれば、携帯端末装置と、該携帯端末装置と通信網を介して接続され、放送番組を受信可能な録画装置と、からなる放送番組録画システムであって、前記携帯端末装置は、前記録画装置に録画指示を行う録画指示部と、を備え、前記録画装置は、放送番組を受信可能な装置放送受信部と、前記録画指示があったことに応じて、放送番組を前記装置放送受信部に受信させ、意図的に当該録画指示した携帯端末装置用の画質で装置メモリに録画する装置録画部と、を備えること特徴とする、放送番組録画システムが提供される。
【００１１】
上記課題を解決するために、本発明のある観点によれば、携帯端末装置と通信網を介して接続され、放送番組を受信可能な録画装置であって、放送番組を受信可能な装置放送受信部と、前記携帯端末装置の録画指示があったことに応じて、該録画指示が示す放送番組を前記装置放送受信部に受信させ、意図的に当該録画指示した携帯端末装置用の画質で装置メモリに録画する装置録画部と、を備えること特徴とする、録画装置が提供される。
【００１２】
上記課題を解決するために、本発明のある観点によれば、携帯端末装置と、該携帯端末装置と通信網を介して接続され放送番組を受信可能な録画装置と、を用いて放送番組を録画する放送番組録画方法であって、前記携帯端末装置が前記録画装置に録画指示を行うステップと、前記録画装置が、前記録画指示があったことに応じて、該録画指示が示す放送番組を受信して、意図的に当該録画指示した携帯端末装置用の画質で装置メモリに録画するステップと、を含むこと特徴とする、放送番組録画方法が提供される。
【００２８】
上述した放送番組録画システムにおける技術的思想に対応する構成要素やその説明は、携帯端末装置、録画装置や当該放送番組録画方法にも適用可能である。
【発明の効果】
【００２９】
以上説明したように本発明によれば、携帯端末装置を安定動作が見込める録画装置と連動させることで、携帯端末装置での録画が困難な状況に陥った場合においても安定かつ確実に放送番組を録画することが可能となり、ユーザに安心感を与え、携帯端末装置における録画機能の使い勝手を向上させることが可能となる。
【図面の簡単な説明】
【００３０】
【図１】本実施形態における放送番組録画システムの概略的な構成を示したブロック図である。
【図２】同実施形態における携帯端末装置のハードウェア構成を示した機能ブロック図である。
【図３】同実施形態における携帯端末装置の概略的な機能を示した機能ブロック図である。
【図４】同実施形態における録画装置のハードウェア構成を示した機能ブロック図である。
【図５】同実施形態における録画装置の概略的な機能を示した機能ブロック図である。
【図６】同実施形態における放送番組録画方法の全体的な流れを示したフローチャートである。
【発明を実施するための形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
携帯電話やＰＨＳ（Ｐｅｒｓｏｎａｌ  Ｈａｎｄｙ  ｐｈｏｎｅ  Ｓｙｓｔｅｍ）端末等の携帯端末装置は、自己の携帯端末装置内にＴＶチューナーを有し、放送番組を受信することができる。また、その放送番組をある程度の時間、携帯端末装置内の端末メモリに録画することも可能である。
【００３３】
しかし、携帯端末装置に備わる電池や端末メモリは必ずしも十分な容量を有さず、また、通話や撮像といった携帯端末本来の機能を遂行するため、電池や端末メモリを録画用途に使い切ってしまうわけにもいかない。また、移動等によって携帯端末装置の周囲の通信環境が変化すると、受信電波が弱くなったり、着呼等予測不能な割り込み処理が入ったりして録画を中断せざるを得ない場合もあり得る。
【００３４】
本実施形態では、携帯端末装置の携帯性および汎用性と、録画装置の安定性と確実性とを活かし、外出先における放送番組の試聴、録画を実行させつつ、携帯端末装置での録画が困難な状況に陥った場合においても、放送番組の確実な録画を録画装置でバックアップする。このような放送番組の録画を行う放送番組録画システムの概略を説明し、その後で各構成要素に関して詳述する。
（放送番組録画システム１００）
図１は、放送番組録画システム１００の概略的な構成を示したブロック図である。かかる放送番組録画システム１００は、携帯端末装置１１０と、放送局１２０と、基地局１３０と、通信網１４０と、ＥＰＧサーバ１５０と、録画装置１６０と、録画サーバ１７０とを含んで構成される。
【００３５】
上記放送番組録画システム１００では、携帯端末装置１１０の通常の機能として、基地局１３０を介した他の携帯端末装置１１０との無線通信が行われる。また、携帯端末装置１１０は、通信網１４０に接続される様々なサーバからＷｅｂ閲覧サービスを受けることも可能である。
【００３６】
本実施形態において、携帯端末装置１１０は、放送局１２０からの放送電波により放送番組を受信することができ、また、自宅１６２の録画装置１６０に基地局１３０および通信網１４０を介して接続することができ、さらに、基地局１３０および通信網１４０を介してＥＰＧサーバ１５０から電子番組ガイドを受信することもできる。従って、携帯端末装置１１０は、放送局１２０からの放送番組を受信しつつ、自己の携帯端末装置１１０にその放送番組を録画し、さらに、電子番組ガイドを用いて録画装置１６０に放送番組を並行録画させることが可能となる。このような放送番組録画システム１００における携帯端末装置１１０および録画装置１６０の機能および動作を以下に詳述する。
（携帯端末装置１１０）
図２は、携帯端末装置１１０のハードウェア構成を示した機能ブロック図である。携帯端末装置１１０は、上述した携帯電話やＰＨＳの他に、ノート型パーソナルコンピュータ、ＰＤＡ（Ｐｅｒｓｏｎａｌ  Ｄｉｇｉｔａｌ  Ａｓｓｉｓｔａｎｔ）等の携帯可能な様々な電子機器で構成され、構成要素として、端末制御部２１０と、端末メモリ２１２と、表示部２１４と、操作部２１６と、音声入出力部２１８と、端末ＴＶチューナー２２０と、端末無線部２２２とを含んでいる。
【００３７】
上記端末制御部２１０は、中央処理装置（ＣＰＵ）を含む半導体集積回路により携帯端末装置１１０全体を管理および制御する。端末制御部２１０は、端末メモリ２１２のプログラムを用いて、携帯端末装置１１０を利用した通話機能やメール配信機能も当然にして遂行するが、後述する各機能も同様に遂行する。
【００３８】
上記端末メモリ２１２は、ＲＯＭ、ＲＡＭ、Ｅ２ＰＲＯＭ、不揮発性ＲＡＭ、フラッシュメモリ、ＨＤＤ（Ｈａｒｄ  Ｄｉｓｋ  Ｄｒｉｖｅ）等で構成され、端末制御部２１０で処理されるプログラムや、放送番組の録画データ、電子番組ガイドを記憶する。
【００３９】
上記表示部２１４は，カラーまたはモノクロのディスプレイで構成され，端末メモリ２１２に記憶されたまたは通信網１４０を介してアプリケーションサーバ（図示せず）から提供される、ＷｅｂブラウザやアプリケーションのＧＵＩ（Ｇｒａｐｈｉｃａｌ  Ｕｓｅｒ  Ｉｎｔｅｒｆａｃｅ）を表示することができる。また、後述する録画終了の案内も表示することができる。
【００４０】
上記操作部２１６は、キーボード、十字キー、ジョイスティック等のスイッチから構成され、ユーザの操作入力を受け付ける。本実施形態において、ユーザは、操作部２１６を介して放送番組の録画開始を指示し、携帯端末装置１１０は、かかる入力に応じて端末メモリ２１２への録画を開始する。また、録画終了の案内に対する確認入力を行うこともできる。
【００４１】
上記音声入出力部２１８は、マイクやスピーカから構成され、通話時に入力されたユーザの音声を音声信号に変換し、また、通話相手の音声信号を音声に変えて出力する。また、着信音や操作部２１６による操作音、アラーム音等も出力できる。
【００４２】
上記端末ＴＶチューナー２２０は、同調装置で構成され、地上アナログ放送または地上デジタル放送（特にワンセグ）の所定チャンネルの電波を受信し、当該携帯端末装置１１０で視聴可能となるように中間周波数に変換する。
【００４３】
上記端末無線部２２２は、携帯電話網における基地局１３０と無線通信を行い、その基地局１３０に接続された、インターネットやＬＡＮ等の通信網１４０を通じて、ＥＰＧサーバ１５０、録画装置１６０、または録画サーバ１７０にアクセスする。
【００４４】
以上、図２を用いて携帯端末装置１１０のハードウェアの説明をしたが、以下にそのようなハードウェア上で遂行される機能および動作を詳述する。
【００４５】
図３は、携帯端末装置１１０の概略的な機能を示した機能ブロック図である。携帯端末装置１１０の端末制御部２１０は、端末メモリ２１２のプログラムを用いて、端末放送受信部３１０と、端末録画部３１２と、ＥＰＧ取得部３１４と、録画状況監視部３１６と、録画指示部３１８と、終了判断部３２０と、端末録画移動部３２２として機能する。
【００４６】
上記端末放送受信部３１０は、放送局１２０からの放送番組を、端末ＴＶチューナー２２０を介して受信する。
【００４７】
上記端末録画部３１２は、ユーザの操作に応じて端末放送受信部３１０が受信した放送番組を端末メモリ２１２に録画する。かかる録画された録画データは、当該携帯端末装置１１０を用いて視聴することを想定している。
【００４８】
上記ＥＰＧ取得部３１４は、録画する放送番組の電子番組ガイドを、基地局１３０を介してＥＰＧサーバ１５０から取得する。ここで、電子番組ガイド（ＥＰＧ：Ｅｌｅｃｔｒｏｎｉｃ  Ｐｒｏｇｒａｍ  Ｇｕｉｄｅ）とは、携帯端末装置１１０の表示部２１４やテレビ画面に番組表を表示するシステムであって、電波の隙間を利用して各電子機器に配信される。録画装置１６０は、かかる電子番組ガイドにより録画すべき放送番組を特定する。
【００４９】
本実施形態では、携帯端末装置１１０から録画装置１６０への録画指示の際、上記電子番組ガイドを送信するとしているが、かかる場合に限られず、録画装置が録画すべき放送番組を特定する情報であり、かつ、通信網１４０を介して自動的に取得できる情報であれば、Ｇコード等様々な情報を適用することができる。
【００５０】
上記録画状況監視部３１６は、放送番組の録画状況を監視する。携帯端末装置１１０での録画中断の主要因は、電池残量、メモリ残量、電波状況、割り込み処理の有無と考えることができる。従って、電池３３０の残量、端末メモリ２１２の残量、放送電波の受信レベル等の電波状況、着呼等の割り込み処理の有無、からなる群から選択された１または２以上の状況を録画状況として挙げ、録画状況監視部３１６で所定時間毎に繰り返し監視する。このうち、電池残量、メモリ残量に関しては録画再開が困難であるが、他の電波状況、割り込み処理の有無に関してはその状況によっては録画再開することができる。
【００５１】
上記録画指示部３１８は、録画状況監視部３１６が監視する録画状況の如何に拘わらず録画装置１６０に電子番組ガイドを送信し録画指示を行ってもよいし、録画状況の変化に応じて録画装置１６０に電子番組ガイドを送信し録画指示を行うとしてもよい。即ち、携帯端末装置１１０への録画指示と同時に録画装置１６０も連動させて録画させるか、携帯端末装置１１０での録画が困難になったときから録画装置１６０を連動するかを選択できる。
【００５２】
いずれにしても、ユーザが携帯端末装置１１０における端末メモリ２１２への録画を操作するだけで、直ぐに、もしくは録画状況を維持することができないと判断した時点から、連動して録画装置１６０での録画も開始されるので、ユーザによる電子番組ガイドの取り込み等煩雑な操作を要さず、安定かつ確実な並行録画が可能となる。従って、携帯端末装置１１０での録画が困難な状況に陥った場合においても、録画装置１６０において安定かつ確実に放送番組が録画されるので、ユーザに安心感を与え、携帯端末装置１１０における録画機能の使い勝手を向上させることができる。
【００５３】
また、後者の、録画状況の変化に応じて録画を開始する場合は、携帯端末装置１１０において良好な録画が遂行されている間の録画装置１６０による不要な録画を抑制することが可能となり、携帯端末装置１１０における良好な録画が維持され続ければ録画装置１６０へのアクセスすら回避できる。従って、コストおよびアクセス数を削減しつつ安定かつ確実な録画を達成することができる。
【００５４】
上記終了判断部３２０は、録画装置１６０からの開始通知を受けて、当該携帯端末装置１１０における録画を終了するかどうかの選択画面、例えば「遠隔録画が開始されました。本機による録画を終了しますか？」の案内を表示部２１４に表示し、ユーザに終了するかどうかを判断させ、ユーザが終了判断した場合に端末録画部３１２による録画を終了させる。
【００５５】
録画中止の原因が電池残量またはメモリ残量であった場合、以後の録画はいずれにしても不可能なので、強制終了とすることができる。原因が電波状況または割り込み処理であった場合、録画状況が復帰したときに録画再開することが可能なので、ユーザは以後の処理をどうするか選択することとなる。また、ユーザの手間を省くため、録画装置１６０から開始通知を受けた後、ユーザにその旨案内することなく強制的に録画を終了するように設定することもできる。
【００５６】
かかる構成により、ユーザは、録画が確実に遂行されていることを踏まえて、携帯端末装置１１０での録画を続行するかどうかを判断することができる。例えば、電波状況の悪化によって録画装置１６０の録画が開始された場合に、多少画質が悪くとも携帯端末装置１１０での録画を望むのであれば、そのまま録画を継続できる。
【００５７】
このとき、電波状況によっては、動画が途切れたり、画質が悪くなったりする場合がある。そこで、ユーザは、録画中の画像に任意にキャプチャーを挿入し、再生時にこのキャプチャーを指標として画像をスキップさせることができる。また、デジタル放送に関しては、画像が映るか映らないか（青色画面になるか）に分けられるため、画像の有無を携帯端末装置１１０自体で認識して、自動的にスキップさせてもよい。
【００５８】
上記端末録画移動部３２２は、装置メモリ４１２に録画されている放送番組を画質変換しつつ端末メモリに読み込む。かかる読み込みは端末無線部２２２や他の無線通信を介して読み込まれてもよいし、外部用端子から有線で読み込んでもよい。録画装置１６０では高画質な画像を録画できるが、携帯端末装置１１０では、画質が制限される。従って、携帯端末装置１１０に読み込む際、画質を落とす処理を行う必要がある。かかる構成により、録画困難となった時点からの端末メモリ２１２の録画に安定した装置メモリ４１２の録画データを上書きすることができ、携帯端末装置１１０にて安定した録画視聴が可能となる。
【００５９】
また、コンピュータによって、上記携帯端末装置１１０として機能するプログラムも提供され得る。
（録画装置１６０）
図４は、録画装置１６０のハードウェア構成を示した機能ブロック図である。録画装置１６０は、装置制御部４１０と、装置メモリ４１２と、装置ＴＶチューナー４１４を含んで構成される。
【００６０】
上記装置制御部４１０は、中央処理装置（ＣＰＵ）を含む半導体集積回路により録画装置１６０全体を管理および制御する。装置制御部４１０は、装置メモリ４１２のプログラムを用いて、受信した放送番組を装置メモリ４１２に録画する。
【００６１】
上記装置メモリ４１２は、ＲＡＭ、Ｅ２ＰＲＯＭ、不揮発性ＲＡＭ、フラッシュメモリ、ＨＤＤ等で構成され、装置制御部４１０で処理されるプログラムや、放送番組の録画データ等を記憶する。
【００６２】
上記装置ＴＶチューナー４１４は、同調装置で構成され、地上アナログ放送または地上デジタル放送（特にワンセグ）の所定チャンネルの電波を受信し、当該録画装置１６０で視聴可能となるように中間周波数に変換する。
【００６３】
以上、図４を用いて録画装置１６０のハードウェアの説明をしたが、以下にそのようなハードウェア上で遂行される機能および動作を詳述する。
【００６４】
図５は、録画装置１６０の概略的な機能を示した機能ブロック図である。録画装置１６０の装置制御部４１０は、装置メモリ４１２のプログラムを用いて、装置放送受信部５１０と、装置録画部５１２と、開始通知部５１４と、装置録画移動部５１６として機能する。
【００６５】
上記装置放送受信部５１０は、放送局１２０からの放送番組を、装置ＴＶチューナー４１４を介して受信する。
【００６６】
上記装置録画部５１２は、携帯端末装置１１０の録画指示に応じて、電子番組ガイドが示す放送番組を装置放送受信部５１０に受信させ、装置メモリ４１２に録画する。また、後から携帯端末装置１１０に移動することを踏まえて、意図的に携帯端末装置１１０同様の低画質で録画することもできる。
【００６７】
上記開始通知部５１４は、放送番組の録画が開始されたことを受けて開始通知を携帯端末装置１１０に送信する。かかる構成により携帯端末装置１１０は、遠隔にある録画装置１６０が録画を開始したことを把握することができ、ユーザは、携帯端末装置１１０での録画が困難な状況に陥った場合においても、録画が確実に遂行されていることで安心感を得ることができる。
【００６８】
上記装置録画移動部５１６は、端末メモリ２１２に録画されている放送番組を装置メモリに読み込む。録画装置１６０では高画質な画像を録画できるが、携帯端末装置１１０では、画質が制限される。従って、単に端末メモリ２１２から放送番組を移動すると画質が不均一になる。そこで、録画装置１６０に読み込む際、装置メモリ４１２の録画データの画質を落として端末メモリ２１２の録画データと合わせるとしてもよい。かかる構成により、装置メモリ４１２に録画されている録画データが放送番組の途中からであったとしても端末メモリ２１２の録画データで補完することができる。
【００６９】
録画装置１６０は、通信網１４０に接続された録画サーバ１７０で代用されるとしてもよい。近年、メモリの高密度化により、通信網１４０に接続されたサーバが大容量のメモリをユーザに開放できるようになってきた。本実施形態では、上述した録画装置１６０の構成要素を録画サーバ１７０で代用するものであり、ユーザは、自宅に録画装置１６０を準備せずとも、通信網１４０を介して録画装置１６０同様のサービスを受けることができる。
【００７０】
かかる録画サーバ１７０は、キャリアのサービスの一環として設けられるとしてもよい。ただし、録画サーバ１７０には、多数のユーザの録画データが随時蓄積されてしまうので、所定時間経過後に録画データが削除されるとしてもよく、ユーザは、それまでに録画サーバ１７０から自己の録画データを抽出する。また、ユーザが一度抽出したらその時点で録画サーバ１７０から削除されるとしてもよい。
【００７１】
このように、携帯端末装置１１０が携帯性および汎用性に優れているのに対して、録画装置１６０は、携帯性や汎用性を要さず、固定設置することが可能である。従って、携帯端末装置１１０が持ち合わせていない電源、記憶容量、電波状況、割り込み処理の全てにおいて安定性と確実性を兼ね揃えており、携帯端末装置１１０と補完し合うことで安定かつ確実な放送番組の録画を遂行することができる。
【００７２】
また、コンピュータによって、上記録画装置１６０として機能するプログラムも提供され得る。
【００７３】
次に、上述した携帯端末装置１１０と、録画装置１６０とを用いて、放送番組を録画する放送番組録画方法について説明する。
（放送番組録画方法）
図６は、放送番組録画方法の全体的な流れを示したフローチャートである。かかる図６を参照すると、ユーザが自己の携帯端末装置１１０を用いて放送番組を受信し（Ｓ６００）、その中の特定の放送番組を録画しようと試みた場合、操作部２１６を通じて放送番組を録画する操作を行い、端末録画部３１２は、受信している放送番組を端末メモリ２１２に録画する（Ｓ６０２）。
【００７４】
そして、ＥＰＧ取得部３１４が録画する放送番組の電子番組ガイドを、基地局１３０を介してＥＰＧサーバ１５０から取得し（Ｓ６０４）、取得した電子番組ガイドをいつでも録画装置１６０に送信できるよう準備する。
【００７５】
続いて、録画状況監視部３１６が、放送番組の録画状況を監視し（Ｓ６０６）、録画状況の変化が生じた場合には、録画指示部３１８が録画装置１６０に電子番組ガイドを送信し録画指示を行う（Ｓ６０８）。かかる録画監視ステップ（Ｓ６０６）を詳細に説明すると、まず、電池３３０の残量が所定値より大きいかどうかが判断される（Ｓ６１０）。かかる所定値は、携帯端末装置１１０の他の機能も遂行できる程度の容量を残すように設定されている。電池３３０の残量が所定値より大きいと、今度は端末メモリ２１２の残量が所定値より大きいかどうか判断される（Ｓ６１２）。かかる所定値も、携帯端末装置１１０の他の機能も遂行できる程度の容量を残すように設定されている。
【００７６】
端末メモリ２１２の残量が所定値より大きければ、引き続き受信レベルが所定値を超えているかどうか判断される（Ｓ６１４）。最後に割り込み処理の有無が判断され（Ｓ６１６）、割り込み処理も無ければ、放送番組が継続していること（Ｓ６１８）、および終了ボタンが押されてないことを確認して（Ｓ６２０）、電池３３０の残量からの監視ステップを繰り返す。
【００７７】
かかる監視ステップで、いずれかの条件を満たさない場合、携帯端末装置１１０では録画を継続するのは困難とみなされ、上述したように、録画指示部３１８は、録画装置１６０に対して電子番組ガイドを送信し、録画指示を行う（Ｓ６０８）。録画装置１６０の装置放送受信部５１０は、携帯端末装置１１０の録画指示に応じて、電子番組ガイドが示す放送番組を受信し（Ｓ６２２）、装置メモリに録画する（Ｓ６２４）。
【００７８】
そして、録画装置１６０の開始通知部５１４は、放送番組の録画が開始されたことを受けて開始通知を携帯端末装置１１０に送信し（Ｓ６２６）、携帯端末装置１１０の終了判断部３２０は、開始通知を受けて、携帯端末装置１１０の録画を中止する理由となる録画状況が電池３３０の残量または端末メモリ２１２の残量であったか判断される（Ｓ６３０）。これは、携帯端末装置１１０の録画を中止する理由が電池３３０の残量または端末メモリ２１２の残量であった場合、最早以後の録画は不可能なので、録画を強制終了させるためである。
【００７９】
上記理由が電池３３０の残量または端末メモリ２１２の残量以外の電波状況または割り込み処理の有無であった場合、端末録画部３１２による端末メモリ２１２への録画を終了するかどうかをユーザに判断させ（Ｓ６３２）、ユーザが終了判断した場合に録画を終了させる（Ｓ６４０）。
【００８０】
ユーザが終了させないと判断した場合、携帯端末装置１１０では、画質の悪化や割り込み処理が有っても当該ユーザは録画を中止しないとみなし、以後は、電池３３０の残量（Ｓ６３４）、端末メモリ２１２の残量（Ｓ６３６）、および放送番組の継続（Ｓ６３８）のみを監視する。このとき、途中で録画を止めたければ、ユーザは操作部２１６に設けられた終了ボタン（図示せず）を押せば（Ｓ６４０）よいことになる。
【００８１】
このような放送番組録画方法によっても、携帯端末装置１１０と録画装置１６０とが連動し、並行録画が行われるので、携帯端末装置１１０での録画が困難な状況に陥った場合においても安定かつ確実に放送番組を録画することが可能となり、ユーザに安心感を与え、携帯端末装置１１０における録画機能の使い勝手を向上させることが可能となる。
【００８２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８３】
なお、本明細書の放送番組録画方法における各工程は、必ずしもフローチャートとして記載された順序に沿って時系列に処理する必要はなく、並列的あるいは個別に実行される処理（例えば、並列処理あるいはオブジェクトによる処理）も含むとしても良い。
【産業上の利用可能性】
【００８４】
本発明は、放送番組を携帯端末装置および録画装置に並行して録画可能な放送番組録画システム、携帯端末装置、録画装置、および放送番組録画方法に利用可能である。
【符号の説明】
【００８５】
１００  放送番組録画システム
１１０  携帯端末装置
１３０  基地局
１４０  通信網
１５０  ＥＰＧサーバ
１６０  録画装置
１７０  録画サーバ
２１２  端末メモリ
３１０  端末放送受信部
３１２  端末録画部
３１４  ＥＰＧ取得部
３１６  録画状況監視部
３１８  録画指示部
３２０  終了判断部
３２２  端末録画移動部
４１２  装置メモリ
５１０  装置放送受信部
５１２  装置録画部
５１４  開始通知部
５１６  装置録画移動部
【図１】
0005721751.tif 000002
【図２】
0005721751.tif 000003
【図３】
0005721751.tif 000004
【図４】
0005721751.tif 000005
【図５】
0005721751.tif 000006
【図６】
0005721751.tif 000007